(57)【要約】      （修正有）【課題】ケーブル収納の可能なウェブカメラを提供する。【解決手段】本ケーブル収納の可能なウェブカメラは映像を読み取り用であり、カメラ本体１と該カメラ本体の一端に結合するレンズ部２と少なくとも一つの伝送線収納部３とを備え、前記伝送線収納部はカメラ本体内部に配置し、それに含まれる回転盤は巻き付け部とエッジ部とを備え、渦巻型バネを前記巻き付け部の内側に巻き付け両端はそれぞれ本体及び回転盤に連結し、伝送線は回転盤と連結し巻き付け部の外側に繞設し、本体内には更に係止機構を配置する。前記伝送線を引っ張ると前記係止機構がエッジ部に係止されて伝送線を引っ張られる長さに固定する。逆操作すると前記係止機構の操作によって前記伝送線は自動的に巻き付け部の外側に戻されて巻き付く。【選択図】図２
0003163150.tif 000002
【実用新案登録請求の範囲】
【請求項１】
カメラ本体と、
カメラ本体の一端に接続するレンズ部と
カメラ本体内部に配置する少なくとも一つの伝送線収納部とを備え、
前記伝送線収納部は、回転盤と渦巻型バネと係止機構を備え、前記回転盤は巻き付け部とエッジ部を備え、前記渦巻型バネの一端をカメラ本体に結合し、他の一端を前記回転盤に連結して渦巻型バネを巻き付け部内側に繞設させ、映像伝送を行う伝送線の一端を前記回転盤に連結して伝送線を巻き付け部の外側に巻き付け、前記伝送線を引っ張り出すと操作される前記係止機構によって前記エッジ部に係止するため、前記伝送線は引っ張り出される長さに固定され、前記係止機構を逆操作すると前記伝送線は自動的に前記巻き付け部の外側に巻き取られることを特徴とするケーブル収納の可能なウェブカメラ。
【請求項２】
前記巻き付け部はエッジ部中央の一円周面に配置し、前記円周面内側の空間には前記渦巻型バネを収納し、前記円周面表面には前記伝送線を巻き付けることを特徴とする請求項１記載のケーブル収納の可能なウェブカメラ。
【請求項３】
前記係止機構はカメラ本体の適当位置に切口を設け、押圧棒の第二端は切口に貫設し、並びに前記押圧棒は前記カメラ本体内に軸着し、前記押圧棒の第一端は切口から延伸し、前記押圧棒の第一端の操作によって第二端の前記エッジ部への接近及び接触を制御して前記回転盤の回転を制限することを特徴とする請求項１記載のケーブル収納の可能なウェブカメラ。
【請求項４】
前記エッジ部は等角度に配置した複数のホゾを備え、前記押圧棒の第二端は前記ホゾに対応し係止する鉤状部であることを特徴とする請求項３記載のケーブル収納の可能なウェブカメラ。
【請求項５】
前記伝送線はＵＳＢコネクタとすることを特徴とする請求項１記載のケーブル収納の可能なウェブカメラ。
【考案の詳細な説明】
【技術分野】
【０００１】
本考案は映像を読み取る装置に関し、特にパソコンと連結して映像読み取りを行い伝送するケーブル収納の可能なウェブカメラに係る。
【背景技術】
【０００２】
公知のウェブカメラは通常、脚架と脚架が支えるレンズ部を備え、前記レンズ部から延長した伝送線をパソコンに連結して映像の伝送を行い、また、ウェブカメラ上にはマイクを挿入する差込口を設けている。
【０００３】
ウェブカメラの伝送線は何れも固定の長さであるが、使用時にウェブカメラを配置する位置は個人によって異なり、パソコンに近い場所に配置すれば長すぎる伝送線はデスク上で乱雑し、パソコンから遠い場所に配置すれば伝送線全てを使用することになる。また、一般に使用者は固定式電線を備えるウェブカメラを収納する場合、通常伝送線をカメラ本体に巻き付けてケーブルの散開を防ぐが、このような不当な収納方法により伝送線は損傷を受けやすくなる。そこで考案人の創作動機が誘発され、伝送線の長さを調節可能で収納可能なウェブカメラの設計を試みることになる。
【考案の概要】
【考案が解決しようとする課題】
【０００４】
本考案は、使用者の伝送線収納問題及び使用中の伝送線が長すぎるために引き起こされる操作環境乱雑問題を解決する。
【課題を解決するための手段】
【０００５】
本考案の主な目的は、使用者が実際の状況に応じて伝送線の長さを調節できるウェブカメラを提供することにあり、これによりパソコンやウェブカメラ使用時、余分なケーブルを机上に散乱させることなく机上の整理整頓状態を保つことができ、並びに、ウェブカメラ収納時、伝送線全体を適当な方法でウェブカメラ本体内に収納し伝送線の損傷を防止する。
【０００６】
本考案の提供するケーブル収納の可能なウェブカメラは、カメラ内部に伝送線を引っ張り出す長さを調節可能な構造を有するため、使用者はこの構造を使って必要な長さに伝送線を引っ張り出して固定し、伝送線の余った部分をカメラ内部に収めることにより、現有する一般のウェブカメラの伝送線の長さが固定式で全伝送線を机上に置くか空中に引き掛けるなどをしてパソコン操作環境が乱雑する状況を解決することを特徴とする。
【０００７】
本考案の提供するケーブル収納の可能なウェブカメラはカメラ本体とその一端を結合するレンズ部と少なくとも一つの伝送線収納部とを備え、前記伝送線収納部はカメラ本体内部に配置し、それに含まれる回転盤は巻き付け部とエッジ部を備え、渦巻型バネは巻き付け部の内側に巻き付き両端はそれぞれ本体及び回転盤に連結し、伝送線は回転盤と連結し巻き付け部の外側に繞設され、本体内には更に係止機構を配置する。
【０００８】
伝送線のコネクタ端を引っ張ると伝送線は必要長さに延長され、その後前記係止機構によってケーブルを固定して伝送線を使用する時、渦巻型バネは中心方向に収縮してバネの蓄勢力を生じさせ、伝送線を緩めるとバネの弾性回復力により伝送線は自動的に巻き戻され回転盤の巻き付け部に巻き付く。
【考案の効果】
【０００９】
市場には前記の伝送線長さを調節可能で収納可能なウェブカメラは存在しておらず、本考案は、使用者の伝送線収納問題及び使用中の伝送線が長すぎるために引き起こされる操作環境乱雑問題の解決に役立てられる。
【図面の簡単な説明】
【００１０】
【図１】本考案のケーブル収納の可能なウェブカメラに関する立体図である。
【図２】図１に関し、主に伝送線収納部構造を示した一部透視図である。
【図３】本考案のケーブル収納の可能なウェブカメラに関する立体分解図である。
【図４】本考案のケーブル収納の可能なウェブカメラに関する側面断面図である。
【図５】伝送線の完全収納状態図である。
【図６】伝送線を一定の長さ引き出して固定した状態図である。
【図７】本考案のケーブル収納の可能なウェブカメラの使用状態図である。
【考案を実施するための形態】
【００１１】
次に図面及び符合の説明を組み合わせて本考案の実施例を詳細説明し、当該技術熟知者による本明細書読後の実施を可能にする。
【実施例】
【００１２】
図１では本考案のケーブル収納の可能なウェブカメラの外観設計上における一つの実施例を示し、主にケーブル収納の可能なウェブカメラは、カメラ本体１とカメラ本体１の一端に接続するレンズ部２とカメラ本体１内部に配置する少なくとも一つの伝送線収納部３を備える。また、図２は図１の一部透視図であり、それは主に伝送線収納部３の構造を示す。
【００１３】
カメラ本体１は上蓋１１と下蓋１２を組み合わせて内部空間を形成するもので、レンズ部２は枢着方法でカメラ本体１の一端に結合し、レンズ部２の角度を調節可能である。カメラ本体１の他の一端には立脚式の脚架１３またはクリップ機能を備える脚架を枢着し、カメラ本体１を立てるか固定する。
【００１４】
図３及び図４には本考案のケーブル収納の可能なウェブカメラに関する立体分解図及び側面断面図を示す。上蓋１１及び下蓋１２に挟み込まれて形成される前記内部空間には少なくとも一組の前記伝送線収納部３を設け、それは主に回転盤３１と渦巻型バネ３２と伝送線３３と係止機構３４を備える。その内の前記回転盤３１の形状は限定せず、主にエッジ部３１１に複数のホゾ３１２を形成し、エッジ部３１１中央には巻き付け部３１３とする円周面を形成する。伝送線収納部３の各構成要素間の組立形式は多種あり、本考案の提供する一つの良好な実施例は、カメラ本体１の下蓋１２表面に柱体１２１を成形し、前記柱体１２１を貫通させる回路基板４を下蓋１２表面に固定し、回路基板４上には電気的に伝導する複数の接続体４１を連結し、前記回転盤３１は前記柱体１２１に貫設し回路基板４上に重ね合わせ、前記接続体４１は回転盤３１の巻き付け部３１３内側に配置される。前記渦巻型バネ３２の一端は柱体１２１上に固定し、他の自由端３２１は回転盤３１の切口３１４に連結し係止するため、渦巻型バネ３２全体は巻き付け部３１３と柱体１２１間の空間に巻かれた状態となる。前記伝送線３３は回転盤３１に連結し、回転盤３１内側面にある接続体４１と電気的に接続し、しかも巻き付け部３１３の外周面に繞設される。プレス板３５は巻き付け部３１３上方に固定して渦巻型バネ３２が上方向に弾かれ離脱するのを防止し、巻き付け部３１３に伴い回転する。前記伝送線３３はＵＳＢケーブル或いはその他パソコンの差込口に相応するコネクタ形式の異なる伝送線とし、伝送線３３を収納する場合は、コネクタ３３１を下蓋１２の背面に配置する。
【００１５】
図５に示す通り、前記係止機構３４は具体的にカメラ本体１の適当位置（側面箇所を最良とする）に切口１４を設け、押圧棒３４１を設計し、前記押圧棒３４１は二つの端を備え、第二端３４１２は切口１４に貫設し、下蓋１２表面に軸着され、押圧棒３４１の第一端３４１１は操作上に滑り止め構造を提供する設計で、前記第一端３４１１は切口１４から外側に延伸する。
【００１６】
図５及び図６には伝送線収納部の動作図を示す。図５に示したのは伝送線３３の完全な収納状態であり、押圧棒３４１の第一端３４１１は切口１４の一方側（本実施例では切口下方に設計）に位置し、押圧棒３４１の第二端３４１２は回転盤３１エッジ部３１１のホゾ３１２から遠く離れ、渦巻型バネ３２は緩んだ状態である。伝送線のコネクタ３３１を引っ張り動かすと、回転盤３１は時計回りに回転し始め、徐々に伝送線３３をカメラ本体１外側に引っ張り出すのと同時に、回転盤３１と連結関係にある渦巻型バネ３２は回転盤３１に伴い回転し、引っ張られるか収縮した状態となり蓄勢力を生じさせる。伝送線３３が必要な長さに引っ張られた時、押圧棒３４１の第一端３４１１が切口１４の他の一方側（本実施例では切口の上方）に押し動かされ、押圧棒３４１の第二端３４１２が回転盤３１エッジ部３１１のホゾ３１２に係止して伝送線３３の引っ張り出される長さを固定（図６参照）した後、伝送線３３のコネクタ３３１をパソコン本体或いはその他対応する装置の上に挿入して映像伝送を行う。使用後は、押圧棒３４１の第一端３４１１を更に切口１４下方に押し戻すと、押圧棒３４１の第二端３４１２は再び回転盤３１エッジ部３１１のホゾ３１２から離れ（図５参照）、回転盤３１の回転力を阻止する力が除去された後、渦巻型バネ３２の弾性回復力により回転盤３１は逆回転を起こすため、伝送線３３は巻き取られて回転盤３１の巻き付け部３１３上に巻き付き、再度収納状態となる。
【００１７】
図７は本考案のケーブル収納の可能なウェブカメラの使用状態を示す参考図である。本考案のケーブル収納の可能なウェブカメラはカメラ本体１上の脚架１３を机上、パソコンのモニター等の適当位置に配置し、レンズ部２を撮影予定箇所に照準を合わせ、前記伝送線収納部の操作方法により、伝送線を必要長さに引っ張り出して係止機構で固定し、逆方向に係止機構を操作すると伝送線を巻き戻すことができる。本考案の設計により、伝送線収納問題及び使用中の長すぎる伝送線による操作環境の乱雑問題を解決するために使用者の手助けをする。
【００１８】
前述は本考案の実施例を解釈しただけであり、本考案を如何なる形式に制限するものではない故、同様の創作精神において為される本考案に関する何れの修飾や変更は全て本考案の意図する保護範囲に含まれるものとする。
【符号の説明】
【００１９】
１  カメラ本体
１１  上蓋
１２  下蓋
１２１  柱体
１３  脚架
１４  切口
２  レンズ部
３  伝送線収納部
３１  回転盤
３１１  エッジ部
３１２  ホゾ
３１３  巻き付け部
３１４  切口
３２  渦巻型バネ
３２１  自由端
３３  伝送線
３３１  コネクタ
３４  係止機構
３４１  押圧棒
３４１１  第一端
３４１２  第二端
３５  プレス板
４  回路基板
４１  接続体
【図１】
0003163150.tif 000003
【図２】
0003163150.tif 000004
【図３】
0003163150.tif 000005
【図４】
0003163150.tif 000006
【図５】
0003163150.tif 000007
【図６】
0003163150.tif 000008
【図７】
0003163150.tif 000009